(57)【要約】【課題】印刷に適するデータは印刷し、印刷に適さないデータを再生装置へ転送する。【解決手段】分離手段１２は、受信手段１１からのマルチメディアデータを印刷に適するデータと印刷に適さないデータとに分離し、それぞれのデータを印刷用データ生成手段１３あるいは送信用データ生成手段１５に送出する。印刷用データ生成手段１３は受け取ったデータを基に印刷用データを生成して、印刷手段１４に送出する。印刷手段１４は印刷用データを印刷する。一方、送信用データ生成手段１５は受け取ったデータを基に送信用データを生成して、送信手段１６に送出する。送信手段１６は、送信用データを送信先の再生装置としての携帯情報端末３０あるいは携帯電話４０へ転送する。【選択図】図２
2005309566.tif 000002
【特許請求の範囲】
【請求項１】
マルチメディアデータを取得する取得手段と、
前記取得手段が取得したマルチメディアデータを印刷に適するデータと印刷に適さないデータとに分離する分離手段と、
前記分離手段が分離した印刷に適するデータを基に印刷用データを生成する印刷データ生成手段と、
前記印刷データ生成手段が生成した印刷用データに基づいて印刷を行う印刷手段と、
前記分離手段が分離した印刷に適さないデータを基に、当該データを再生可能な装置に送信すべく送信用データを生成する送信用データ生成手段と、
前記送信用データ生成手段が生成した送信用データを送信先の装置へ送信する送信手段と、
を有することを特徴とする印刷装置。
【請求項２】
前記分離手段は、前記マルチメディアデータから印刷に適さないデータとして音声データを分離することを特徴とする請求項１記載の印刷装置。
【請求項３】
前記分離手段は、前記マルチメディアデータから印刷に適さないデータとして動画像データを分離することを特徴とする請求項１記載の印刷装置。
【請求項４】
前記分離手段は、前記マルチメディアデータから印刷に適するデータとしてテキストデータ及び／又は静止画像データを分離することを特徴とする請求項１記載の印刷装置。
【請求項５】
前記分離手段は、マルチメディアデータから分離された印刷に適さないデータの一覧を作成するとともに、この作成した一覧を基に印刷用データを生成することを特徴とする請求項１〜４の何れか一項に記載の印刷装置。
【請求項６】
前記分類手段は、前記分離された動画像データから所望の静止画像データを抽出するとともに、この抽出した静止画像データを基に印刷用データを生成することを特徴とする請求項３記載の印刷装置。
【請求項７】
マルチメディアデータを取得する取得ステップと、
前記取得ステップにより取得されたマルチメディアデータを印刷に適するデータと印刷に適さないデータとに分離する分離ステップと、
前記分離ステップにより分離された印刷に適するデータを基に印刷用データを生成する印刷データ生成ステップと、
前記印刷データ生成ステップにより生成された印刷用データに基づいて印刷を行う印刷ステップと、
前記分離ステップにより分離された印刷に適さないデータを基に、当該データを再生可能な装置に送信すべく送信用データを生成する送信用データ生成ステップと、
前記送信用データ生成ステップにより生成された送信用データを送信先の装置へ送信する送信ステップと、
を含むことを特徴とする印刷方法。
【請求項８】
前記分離ステップは、前記マルチメディアデータから印刷に適さないデータとして音声データを分離するステップを含むことを特徴とする請求項７記載の印刷方法。
【請求項９】
前記分離ステップは、前記マルチメディアデータから印刷に適さないデータとして動画像データを分離するステップを含むことを特徴とする請求項７記載の印刷方法。
【請求項１０】
前記分離ステップは、前記マルチメディアデータから印刷に適するデータとしてテキストデータ及び／又は静止画像データを分離するステップを含むことを特徴とする請求項７記載の印刷方法。
【請求項１１】
前記分離ステップは、マルチメディアデータから分離された印刷に適さないデータの一覧を作成するとともに、この作成した一覧を基に印刷用データを生成するステップを含むことを特徴とする請求項７〜１０の何れか一項に記載の印刷方法。
【請求項１２】
前記分類ステップは、前記分離された動画像データから所望の静止画像データを抽出するとともに、この抽出した静止画像データを基に印刷用データを生成するステップを含むことを特徴とする請求項９記載の印刷方法。
【請求項１３】
マルチメディアデータを取得する取得ステップと、
前記取得ステップにより取得されたマルチメディアデータを印刷に適するデータと印刷に適さないデータとに分離する分離ステップと、
前記分離ステップにより分離された印刷に適するデータを基に印刷用データを生成する印刷データ生成ステップと、
前記印刷データ生成ステップにより生成された印刷用データに基づいて印刷を行う印刷ステップと、
前記分離ステップにより分離された印刷に適さないデータを基に、当該データを再生可能な装置に送信すべく送信用データを生成する送信用データ生成ステップと、
前記送信用データ生成ステップにより生成された送信用データを送信先の装置へ送信する送信ステップと、
を含む印刷方法をコンピュータに実行させるプログラムを記録したことを特徴とするコンピュータ読み取り可能な記録媒体。
【請求項１４】
前記分離ステップは、前記マルチメディアデータから印刷に適さないデータとして音声データを分離するステップを含むことを特徴とする請求項１３記載の印刷方法をコンピュータに実行させるプログラムを記録したことを特徴とするコンピュータ読み取り可能な記録媒体。
【請求項１５】
前記分離ステップは、前記マルチメディアデータから印刷に適さないデータとして動画像データを分離するステップを含むことを特徴とする請求項１３記載の印刷方法をコンピュータに実行させるプログラムを記録したことを特徴とするコンピュータ読み取り可能な記録媒体。
【請求項１６】
前記分離ステップは、前記マルチメディアデータから印刷に適するデータとしてテキストデータ及び／又は静止画像データを分離するステップを含むことを特徴とする請求項１３記載の印刷方法をコンピュータに実行させるプログラムを記録したことを特徴とするコンピュータ読み取り可能な記録媒体。
【請求項１７】
前記分離ステップは、マルチメディアデータから分離された印刷に適さないデータの一覧を作成するとともに、この作成した一覧を基に印刷用データを生成するステップを含むことを特徴とする請求項１３〜１６の何れか一項に記載の印刷方法をコンピュータに実行させるプログラムを記録したことを特徴とするコンピュータ読み取り可能な記録媒体。
【請求項１８】
前記分類ステップは、前記分離された動画像データから所望の静止画像データを抽出するとともに、この抽出した静止画像データを基に印刷用データを生成するステップを含むことを特徴とする請求項１５記載の印刷方法をコンピュータに実行させるプログラムを記録したことを特徴とするコンピュータ読み取り可能な記録媒体。
【請求項１９】
請求項７〜１２の何れか一項に記載された印刷方法をコンピュータに実行させるプログラム。
【請求項２０】
請求項１〜６の何れか一項に記載の印刷装置と携帯端末とがデータ送受信を行うとともに、前記携帯端末は、少なくとも前記印刷装置に設けられた送信手段から送信された送信用データに基づく印刷に適さないデータを再生することを特徴とするマルチメディアデータ再生システム。
【発明の詳細な説明】
【技術分野】
【０００１】
本発明は、取得したマルチメディアデータを基に所定のデータを印刷する印刷装置、印刷方法、その方法をコンピュータに実行させるプログラム、そのプログラムを記録したコンピュータ読み取り可能な記録媒体、およびマルチメディアデータ再生システムに関するものである。
【背景技術】
【０００２】
最近、インターネット技術の発達に伴い、ユーザに対して、効果的に情報を伝達出来るマルチメディアデータが盛んに配信されている。マルチメディアデータには、静止画、テキスト情報、動画、音声情報等の質の異なるデータが混在している。
【０００３】
従来の技術では、マルチメディアデータを再生するに際し、この質の違いを意識せずに、全てを単一の高価で大掛かりな再生装置（例えば、パーソナルコンピュータ）で再生することを前提としていた。そのため、安価で簡素な再生装置（例えば、携帯情報端末や携帯電話）においては、マルチメディアデータを再生する際には、その装置に搭載されているブラウザ機能によって、表示項目を一部簡略化または省略することで対応していた。
【０００４】
また、マルチメディアデータを扱う従来の装置としては、マルチメディアデータから静止画像データを抽出し、この抽出したデータを基にファクシミリデータを生成して、このファクシミリデータをファクシミリ装置へ送出したり、あるいはマルチメディアデータから動画像データを抽出し、この抽出した動画像データから所定の静止画像を選択し、さらに、この選択したデータを基にファクシミリデータを生成して、このファクシミリデータをファクシミリ装置へ送出するようにしたデータ受信装置が知られている（特許文献１参照。）。
【特許文献１】特開平１０−３０４１２６号公報
【発明の開示】
【発明が解決しようとする課題】
【０００５】
しかしながら、上記従来の技術では、静止画データやテキストデータといった記録用紙に印刷しても何ら情報欠落を引き起こさず、ユーザにとってはむしろ利用しやすく（見やすく）なるデータと、動画像データ、音声データなど記録用紙に印刷することでは表現出来ないデータの互いに質の異なるデータを、全て単一の装置で再生することを前提としているため、十分広い表示領域および高価なＣＰＵ（中央演算処理装置）やメモリを必要とし、結果として再生装置の小型化及び簡素化を阻害しているという問題点があった。
【０００６】
また、上記従来の技術では、装置を安価で簡易なものにして携帯性を向上させるために、一部の携帯情報端末や携帯電話に搭載されているブラウザによっては、上述したように表示項目を一部簡略化または省略するという方法をとっているものもあるが、これは結果として情報の欠落を招き、マルチメディアデータを有効に活用することができないという問題点がある。
【０００７】
そこで、本発明は、取得したマルチメディアデータを印刷に適するデータと印刷に適さないデータとに分離して、印刷に適するデータは印刷し、印刷に適さないデータを再生装置へ転送することのできる印刷装置、印刷方法、その方法をコンピュータに実行させるプログラム、そのプログラムを記録したコンピュータ読み取り可能な記録媒体、およびマルチメディアデータ再生システムを提供することを目的とする。
【０００８】
また、本発明は、取得したマルチメディアデータを印刷に適するデータと印刷に適さないデータとに分離し、さらに、この分離された印刷に適さないデータが、当該マルチメディアデータ内で、どの印刷に適するデータと関連付けられたデータであったかを容易に知ることのできる印刷装置、印刷方法、その方法をコンピュータに実行させるプログラム、そのプログラムを記録したコンピュータ読み取り可能な記録媒体、およびマルチメディアデータ再生システムを提供することを目的とする。
【０００９】
さらに、本発明は、取得したマルチメディアデータを印刷に適するデータと印刷に適さないデータとに分離し、さらに、当該マルチメディアデータ全てを表示できる再生装置に対して、印刷に適さないデータとしての動画像データが、当該マルチメディアデータの何処に貼り付けられていたかを提供することのできる印刷装置、印刷方法、その方法をコンピュータに実行させるプログラム、そのプログラムを記録したコンピュータ読み取り可能な記録媒体、およびマルチメディアデータ再生システムを提供することを目的とする。
【００１０】
さらに、本発明は、取得したマルチメディアデータを印刷に適するデータと印刷に適さないデータとに分離し、この印刷に適するデータを印刷装置が印刷することにより当該データ内容の閲覧性を向上させることができるとともに、印刷に適さないデータを携帯端末が再生することで、当該携帯端末において、再生のみに計算機資源を集中させることにより再生性能を向上させることのできるマルチメディアデータ再生システムを提供することを目的とする。
【課題を解決するための手段】
【００１１】
この課題を解決するため、本発明の印刷装置は、マルチメディアデータを取得する取得手段と、取得手段が取得したマルチメディアデータを印刷に適するデータと印刷に適さないデータとに分離する分離手段と、分離手段が分離した印刷に適するデータを基に印刷用データを生成する印刷データ生成手段と、印刷データ生成手段が生成した印刷用データに基づいて印刷を行う印刷手段と、分離手段が分離した印刷に適さないデータを基に、当該データを再生可能な装置に送信すべく送信用データを生成する送信用データ生成手段と、送信用データ生成手段が生成した送信用データを送信先の装置へ送信する送信手段とを有する構成としたものである。
【００１２】
本発明の好ましい形態において、分離手段は、マルチメディアデータから印刷に適さないデータとして音声データを分離する。
【００１３】
本発明のさらに好ましい形態において、分離手段は、マルチメディアデータから印刷に適さないデータとして動画像データを分離する。
【００１４】
本発明のさらに好ましい形態において、分離手段は、マルチメディアデータから印刷に適するデータとしてテキストデータ及び／又は静止画像データを分離する。
【００１５】
本発明のさらに好ましい形態において、分離手段は、マルチメディアデータから分離された印刷に適さないデータの一覧を作成するとともに、この作成した一覧を基に印刷用データを生成する。
【００１６】
本発明のさらに好ましい形態において、分類手段は、分離された動画像データから所望の静止画像データを抽出するとともに、この抽出した静止画像データを基に印刷用データを生成する。
【００１７】
また、この課題を解決するため、本発明の印刷方法は、マルチメディアデータを取得す
る取得ステップと、取得ステップにより取得されたマルチメディアデータを印刷に適するデータと印刷に適さないデータとに分離する分離ステップと、分離ステップにより分離された印刷に適するデータを基に印刷用データを生成する印刷データ生成ステップと、印刷データ生成ステップにより生成された印刷用データに基づいて印刷を行う印刷ステップと、分離ステップにより分離された印刷に適さないデータを基に、当該データを再生可能な装置に送信すべく送信用データを生成する送信用データ生成ステップと、送信用データ生成ステップにより生成された送信用データを送信先の装置へ送信する送信ステップとを含む構成としたものである。
【００１８】
本発明の好ましい形態において、分離ステップは、マルチメディアデータから印刷に適さないデータとして音声データを分離するステップを含む。
【００１９】
本発明のさらに好ましい形態において、分離ステップは、マルチメディアデータから印刷に適さないデータとして動画像データを分離するステップを含む。
【００２０】
本発明のさらに好ましい形態において、分離ステップは、マルチメディアデータから印刷に適するデータとしてテキストデータ及び／又は静止画像データを分離するステップを含む。
【００２１】
本発明のさらに好ましい形態において、分離ステップは、マルチメディアデータから分離された印刷に適さないデータの一覧を作成するとともに、この作成した一覧を基に印刷用データを生成するステップを含む。
【００２２】
本発明のさらに好ましい形態において、分類ステップは、分離された動画像データから所望の静止画像データを抽出するとともに、この抽出した静止画像データを基に印刷用データを生成するステップを含む。
【００２３】
さらに、この課題を解決するため、本発明のコンピュータ読み取り可能な記録媒体は、マルチメディアデータを取得する取得ステップと、取得ステップにより取得されたマルチメディアデータを印刷に適するデータと印刷に適さないデータとに分離する分離ステップと、分離ステップにより分離された印刷に適するデータを基に印刷用データを生成する印刷データ生成ステップと、印刷データ生成ステップにより生成された印刷用データに基づいて印刷を行う印刷ステップと、分離ステップにより分離された印刷に適さないデータを基に、当該データを再生可能な装置に送信すべく送信用データを生成する送信用データ生成ステップと、送信用データ生成ステップにより生成された送信用データを送信先の装置へ送信する送信ステップとを含む印刷方法をコンピュータに実行させるプログラムを記録したものである。
【００２４】
本発明の好ましい形態において、分離ステップは、マルチメディアデータから印刷に適さないデータとして音声データを分離するステップを含む。
【００２５】
本発明のさらに好ましい形態において、分離ステップは、マルチメディアデータから印刷に適さないデータとして動画像データを分離するステップを含む。
【００２６】
本発明のさらに好ましい形態において、分離ステップは、マルチメディアデータから印刷に適するデータとしてテキストデータ及び／又は静止画像データを分離するステップを含む。
【００２７】
本発明のさらに好ましい形態において、分離ステップは、マルチメディアデータから分離された印刷に適さないデータの一覧を作成するとともに、この作成した一覧を基に印刷
用データを生成するステップを含む。
【００２８】
本発明のさらに好ましい形態において、分類ステップは、分離された動画像データから所望の静止画像データを抽出するとともに、この抽出した静止画像データを基に印刷用データを生成するステップを含む。
【００２９】
さらに、この課題を解決するため、本発明のプログラムは、請求項７〜１２の何れか一項に記載された印刷方法をコンピュータに実行させるものである。
【００３０】
さらに、この課題を解決するため、本発明のマルチメディアデータ再生システムは、請求項１〜６の何れか一項に記載の印刷装置と携帯端末とがデータ送受信を行うとともに、携帯端末は、少なくとも印刷装置に設けられた送信手段から送信された送信用データに基づく印刷に適さないデータを再生する構成としたものである。
【発明の効果】
【００３１】
本発明によれば、取得したマルチメディアデータを印刷に適するデータと印刷に適さないデータとに分離するようにすれば、印刷に適するデータは印刷し、印刷に適さないデータを再生装置へ転送することができるという有効な効果が得られる。
【００３２】
また、本発明によれば、取得したマルチメディアデータから印刷に適さないデータとして音声データを分離するようにすれば、印刷に適するデータは印刷し、印刷に適さないデータとしての音声データを再生装置へ転送することができるという有効な効果が得られる。
【００３３】
さらに、本発明によれば、取得したマルチメディアデータから印刷に適さないデータとして動画像データを分離するようにしているので、印刷に適するデータは印刷し、印刷に適さないデータとしての動画像データを再生装置へ転送することができるという有効な効果が得られる。
【００３４】
さらに、本発明によれば、取得したマルチメディアデータから印刷に適するデータとしてテキストデータ及び／又は静止画像データを分離するようにしているので、テキストデータ及び／又は静止画像データは印刷し、動画像データや音声データなど印刷に適さないデータを再生装置へ転送することができるという有効な効果が得られる。
【００３５】
さらに、本発明によれば、取得したマルチメディアデータを印刷に適するデータと印刷に適さないデータとに分離し、さらに印刷に適さないデータの一覧を作成し、該作成した一覧を印刷するようにしているので、ユーザにおいては、分離された印刷に適さないデータが、当該マルチメディアデータ内で、どの印刷に適するデータと関連付けられたデータであったかを容易に知ることができるという有効な効果が得られる。
【００３６】
さらに、本発明によれば、取得したマルチメディアデータを印刷に適するデータと印刷に適さないデータとに分離し、さらに、印刷に適さないデータとしての動画像データから所望の静止画像データを抽出し、この抽出したデータを印刷するようにしているので、当該マルチメディアデータ全てを表示できる再生装置に対して、印刷に適さないデータとしての動画像データが、当該マルチメディアデータの何処に貼り付けられていたかを提供することができるという有効な効果が得られる。
【００３７】
さらに、本発明によれば、取得したマルチメディアデータを印刷に適するデータと印刷に適さないデータとに分離することができ、さらに、印刷に適するデータを印刷装置が印刷することにより当該データ内容の閲覧性を向上させることができるとともに、印刷に適
さないデータを携帯端末が再生することで、当該携帯端末において、再生のみに計算機資源を集中させることにより再生性能を向上させることができるという有効な効果が得られる。
【発明を実施するための最良の形態】
【００３８】
本発明の請求項１に記載の発明は、マルチメディアデータを取得する取得手段と、取得手段が取得したマルチメディアデータを印刷に適するデータと印刷に適さないデータとに分離する分離手段と、分離手段が分離した印刷に適するデータを基に印刷用データを生成する印刷データ生成手段と、印刷データ生成手段が生成した印刷用データに基づいて印刷を行う印刷手段と、分離手段が分離した印刷に適さないデータを基に、当該データを再生可能な装置に送信すべく送信用データを生成する送信用データ生成手段と、送信用データ生成手段が生成した送信用データを送信先の装置へ送信する送信手段とを有する印刷装置であり、取得したマルチメディアデータを印刷に適するデータと印刷に適さないデータとに分離するようにしているので、印刷に適する印刷データは印刷し、印刷に適さないデータを再生装置へ転送することができるという作用を有する。
【００３９】
本発明の請求項２に記載の発明は、請求項１記載の発明において、分離手段は、マルチメディアデータから印刷に適さないデータとして音声データを分離する印刷装置であり、取得したマルチメディアデータから印刷に適さないデータとして音声データを分離するようにしているので、印刷に適するデータは印刷し、印刷に適さないデータとしての音声データを再生装置へ転送することができるという作用を有する。
【００４０】
本発明の請求項３に記載の発明は、請求項１記載の発明において、分離手段は、マルチメディアデータから印刷に適さないデータとして動画像データを分離する印刷装置であり、取得したマルチメディアデータから印刷に適さないデータとして動画像データを分離するようにしているので、印刷に適するデータは印刷し、印刷に適さないデータとしての動画像データを再生装置へ転送することができるという作用を有する。
【００４１】
本発明の請求項４に記載の発明は、請求項１記載の発明において、分離手段は、マルチメディアデータから印刷に適するデータとしてテキストデータ及び／又は静止画像データを分離する印刷装置であり、取得したマルチメディアデータから印刷に適するデータとしてテキストデータ及び／又は静止画像データを分離するようにしているので、テキストデータ及び／又は静止画像データは印刷し、動画像データや音声データなど印刷に適さないデータを再生装置へ転送することができるという作用を有する。
【００４２】
本発明の請求項５に記載の発明は、請求項１〜４の何れか一項に記載の発明において、分離手段は、マルチメディアデータから分離された印刷に適さないデータの一覧を作成するとともに、この作成した一覧を基に印刷用データを生成する印刷装置であり、取得したマルチメディアデータを印刷に適するデータと印刷に適さないデータとに分離して、この印刷に適さないデータの一覧を作成し、該作成した一覧を印刷するようにしているので、ユーザにおいては、分離された印刷に適さないデータが、当該マルチメディアデータ内で、どの印刷に適するデータと関連付けられたデータであったかを容易に知ることができるという作用を有する。
【００４３】
本発明の請求項６に記載の発明は、請求項３記載の発明において、分類手段は、分離された動画像データから所望の静止画像データを抽出するとともに、この抽出した静止画像データを基に印刷用データを生成する印刷装置であり、取得したマルチメディアデータを印刷に適するデータと印刷に適さないデータとに分離して、この印刷に適さないデータとしての動画像データから所望の静止画像データを抽出し、この抽出したデータを印刷するようにしているので、当該マルチメディアデータ全てを表示できる再生装置に対して、印
刷に適さないデータとしての動画像データが、当該マルチメディアデータの何処に貼り付けられていたかを提供することができるという作用を有する。
【００４４】
本発明の請求項７に記載の発明は、マルチメディアデータを取得する取得ステップと、取得ステップにより取得されたマルチメディアデータを印刷に適するデータと印刷に適さないデータとに分離する分離ステップと、分離ステップにより分離された印刷に適するデータを基に印刷用データを生成する印刷データ生成ステップと、印刷データ生成ステップにより生成された印刷用データに基づいて印刷を行う印刷ステップと、分離ステップにより分離された印刷に適さないデータを基に、当該データを再生可能な装置に送信すべく送信用データを生成する送信用データ生成ステップと、送信用データ生成ステップにより生成された送信用データを送信先の装置へ送信する送信ステップとを含む印刷方法であり、取得したマルチメディアデータを印刷に適するデータと印刷に適さないデータとに分離するようにしているので、印刷に適するデータは印刷し、印刷に適さないデータを再生装置へ転送することができるという作用を有する。
【００４５】
本発明の請求項８に記載の発明は、請求項７記載の発明において、分離ステップは、マルチメディアデータから印刷に適さないデータとして音声データを分離するステップを含む印刷方法であり、取得したマルチメディアデータから印刷に適さないデータとして音声データを分離するようにしているので、印刷に適するデータは印刷し、印刷に適さないデータとしての音声データを再生装置へ転送することができるという作用を有する。
【００４６】
本発明の請求項９に記載の発明は、請求項７記載の発明において、分離ステップは、マルチメディアデータから印刷に適さないデータとして動画像データを分離するステップを含む印刷方法であり、取得したマルチメディアデータから印刷に適さないデータとして動画像データを分離するようにしているので、印刷に適するデータは印刷し、印刷に適さないデータとしての動画像データを再生装置へ転送することができるという作用を有する。
【００４７】
本発明の請求項１０に記載の発明は、請求項７記載の発明において、分離ステップは、マルチメディアデータから印刷に適するデータとしてテキストデータ及び／又は静止画像データを分離するステップを含む印刷方法であり、取得したマルチメディアデータから印刷に適するデータとしてテキストデータ及び／又は静止画像データを分離するようにしているので、テキストデータ及び／又は静止画像データは印刷し、動画像データや音声データなど印刷に適さないデータを再生装置へ転送することができるという作用を有する。
【００４８】
本発明の請求項１１に記載の発明は、請求項７〜１０の何れか一項に記載の発明において、分離ステップは、マルチメディアデータから分離された印刷に適さないデータの一覧を作成するとともに、この作成した一覧を基に印刷用データを生成するステップを含む印刷方法であり、取得したマルチメディアデータを印刷に適するデータと印刷に適さないデータとに分離して、この印刷に適さないデータの一覧を作成し、該作成した一覧を印刷するようにしているので、ユーザにおいては、分離された印刷に適さないデータが、当該マルチメディアデータ内で、どの印刷に適するデータと関連付けられたデータであったかを容易に知ることができるという作用を有する。
【００４９】
本発明の請求項１２に記載の発明は、請求項９記載の発明において、分類ステップは、分離された動画像データから所望の静止画像データを抽出するとともに、この抽出した静止画像データを基に印刷用データを生成するステップを含む印刷方法であり、取得したマルチメディアデータを印刷に適するデータと印刷に適さないデータとに分離して、この印刷に適さないデータとしての動画像データから所望の静止画像データを抽出し、該抽出したデータを印刷するようにしているので、当該マルチメディアデータ全てを表示できる再生装置に対して、印刷に適さないデータとしての動画像データが、当該マルチメディアデ
ータの何処に貼り付けられていたかを提供することができるという作用を有する。
【００５０】
本発明の請求項１３に記載の発明は、マルチメディアデータを取得する取得ステップと、取得ステップにより取得されたマルチメディアデータを印刷に適するデータと印刷に適さないデータとに分離する分離ステップと、分離ステップにより分離された印刷に適するデータを基に印刷用データを生成する印刷データ生成ステップと、印刷データ生成ステップにより生成された印刷用データに基づいて印刷を行う印刷ステップと、分離ステップにより分離された印刷に適さないデータを基に、当該データを再生可能な装置に送信すべく送信用データを生成する送信用データ生成ステップと、送信用データ生成ステップにより生成された送信用データを送信先の装置へ送信する送信ステップとを含む印刷方法をコンピュータに実行させるプログラムを記録したコンピュータ読み取り可能な記録媒体であり、取得したマルチメディアデータを印刷に適するデータと印刷に適さないデータとに分離するようにしているので、印刷に適するデータは印刷し、印刷に適さないデータを再生装置へ転送することができるという作用を有する。
【００５１】
本発明の請求項１４に記載の発明は、請求項１３記載の発明において、分離ステップは、マルチメディアデータから印刷に適さないデータとして音声データを分離するステップを含むことを特徴とする請求項１３記載の印刷方法をコンピュータに実行させるプログラムを記録したコンピュータ読み取り可能な記録媒体であり、取得したマルチメディアデータから印刷に適さないデータとして音声データを分離するようにしているので、印刷に適するデータは印刷し、印刷に適さないデータとしての音声データを再生装置へ転送することができるという作用を有する。
【００５２】
本発明の請求項１５に記載の発明は、請求項１３記載の発明において、分離ステップは、マルチメディアデータから印刷に適さないデータとして動画像データを分離するステップを含むことを特徴とする請求項１３記載の印刷方法をコンピュータに実行させるプログラムを記録したコンピュータ読み取り可能な記録媒体であり、取得したマルチメディアデータから印刷に適さないデータとして動画像データを分離するようにしているので、印刷に適するデータは印刷し、印刷に適さないデータとしての動画像データを再生装置へ転送することができるという作用を有する。
【００５３】
本発明の請求項１６に記載の発明は、請求項１３記載の発明において、分離ステップは、マルチメディアデータから印刷に適するデータとしてテキストデータ及び／又は静止画像データを分離するステップを含むことを特徴とする請求項１３記載の印刷方法をコンピュータに実行させるプログラムを記録したコンピュータ読み取り可能な記録媒体であり、取得したマルチメディアデータから印刷に適するデータとしてテキストデータ及び／又は静止画像データを分離するようにしているので、テキストデータ及び／又は静止画像データは印刷し、動画像データや音声データなど印刷に適さないデータを再生装置へ転送することができるという作用を有する。
【００５４】
本発明の請求項１７に記載の発明は、請求項１３〜１６の何れか一項に記載の発明において、分離ステップは、マルチメディアデータから分離された印刷に適さないデータの一覧を作成するとともに、この作成した一覧を基に印刷用データを生成するステップを含むことを特徴とする請求項１３〜１６の何れか一項に記載の印刷方法をコンピュータに実行させるプログラムを記録したコンピュータ読み取り可能な記録媒体であり、取得したマルチメディアデータを印刷に適するデータと印刷に適さないデータとに分離して、この印刷に適さないデータの一覧を作成し、該作成した一覧を印刷するようにしているので、ユーザにおいては、分離された印刷に適さないデータが、当該マルチメディアデータ内で、どの印刷に適するデータと関連付けられたデータであったかを容易に知ることができるという作用を有する。
【００５５】
本発明の請求項１８に記載の発明は、請求項１５記載の発明において、分類ステップは、分離された動画像データから所望の静止画像データを抽出するとともに、この抽出した静止画像データを基に印刷用データを生成するステップを含むことを特徴とする請求項１５記載の印刷方法をコンピュータに実行させるプログラムを記録したコンピュータ読み取り可能な記録媒体であり、取得したマルチメディアデータを印刷に適するデータと印刷に適さないデータとに分離して、この印刷に適さないデータとしての動画像データから所望の静止画像データを抽出し、この抽出したデータを印刷するようにしているので、当該マルチメディアデータ全てを表示できる再生装置に対して、印刷に適さないデータとしての動画像データが、当該マルチメディアデータの何処に貼り付けられていたかを提供することができるという作用を有する。
【００５６】
本発明の請求項１９に記載の発明は、請求項７〜１２の何れか一項に記載された印刷方法をコンピュータに実行させるプログラムであり、取得したマルチメディアデータを印刷に適するデータと印刷に適さないデータとに分離するようにしているので、印刷に適する印刷データは印刷し、印刷に適さないデータを再生装置へ転送することができるという作用を有する。
【００５７】
本発明の請求項２０に記載の発明は、請求項１〜６の何れか一項に記載の印刷装置と携帯端末とがデータ送受信を行うとともに、携帯端末は、少なくとも印刷装置に設けられた送信手段から送信された送信用データに基づく印刷に適さないデータを再生するマルチメディアデータ再生システムであり、取得したマルチメディアデータを印刷に適するデータと印刷に適さないデータとに分離して、この印刷に適するデータを印刷装置が印刷することにより当該データ内容の閲覧性を向上させることができるとともに、印刷に適さないデータを携帯端末が再生することで、当該携帯端末において、再生のみに計算機資源を集中させることにより再生性能を向上させることができるという作用を有する。
【００５８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は本実施の形態に限定されるものではない。
【００５９】
（実施の形態１）
図１は本発明の実施の形態１である印刷装置を有するマルチメディアデータ再生システムの概略を示す模式図、図２は図１に示したマルチメディアデータ再生システムの概略構成を示すブロック図、図３は図２に示した印刷装置の構成を示すブロック図、図４は図３に示した印刷装置による印刷処理の印刷処理手順を示すフローチャートである。
【００６０】
マルチメディアデータ再生システムにおいては、図１に示すように、印刷装置１０がネットワーク５１と接続され、またマルチメディアデータを格納しているサーバ２０がネットワーク５２と接続されている。また、印刷装置１０は、通信回線５４を介して携帯情報端末３０と接続され、また通信回線５５を介して携帯電話４０と接続されている。
【００６１】
印刷装置１０は、例えばプリンタであり、ネットワーク５１、通信回線５３及びネットワーク５２を介してサーバ２０との間で、また通信回線５４を介して携帯情報端末３０との間で、さらに通信回線５５を介して携帯電話４０との間で、それぞれデータの送受信を行う。
【００６２】
なお、通信回線５３においては、ネットワーク５１とネットワーク５２との間でデータの授受が行えればよく、その通信回線の種類は問わない。また、前記同様に、通信回線５
４，５５においても、印刷装置１０と、携帯情報端末３０あるいは携帯電話４０との間でデータの授受、すなわち印刷装置１０から送信されるデータが携帯情報端末３０あるいは携帯電話４０で受信できればよく、その通信回線の種類は問わない。
【００６３】
かかる構成のマルチメディアデータ再生システムでは、最初に、サーバ２０からマルチメディアデータが送信されると、このマルチメディアデータは、ネットワーク５２、通信回線５３及びネットワーク５１を経て、印刷装置１０に到達する。
【００６４】
印刷装置１０は、ネットワーク５１を介して受信したマルチメディアデータを、印刷に適するデータと印刷に適さないデータとに分離するとともに、この分離した結果得られた印刷に適するデータは、そのまま印刷し、一方、印刷に適さないデータについては、携帯情報端末３０あるいは携帯電話４０に送信する。
【００６５】
この送信された印刷に適さないデータ（例えば、動画像データや音声データ）は携帯情報端末３０あるいは携帯電話４０によって再生されることになる。
【００６６】
図２において、サーバ２０には、マルチメディアデータが格納されたデータベース２１が構築されている。
【００６７】
印刷装置１０は、受信手段１１、分離手段１２、印刷用データ生成手段１３、印刷手段１４、送信用データ生成手段１５及び送信手段１６を有している。
【００６８】
受信手段（取得手段）１１は、ネットワークなどの通信回線を介してマルチメディアデータを受信する機能を有している。この受信手段１１は、マルチメディアデータを取得する取得手段の機能を有しており、ここでは、通信回線を介してマルチメディアデータを取得つまり受信するようになっている。
【００６９】
分離手段１２は、次の（１）〜（３）の機能を有している。
【００７０】
（１）受信手段１１が受信したマルチメディアデータを印刷に適するデータと印刷に適さないデータとに分離する機能。
【００７１】
（２）マルチメディアデータから、印刷に適さないデータとして音声データ及び／又は動画像データを分離する機能。
【００７２】
（３）マルチメディアデータから、印刷に適するデータとしてテキストデータ及び／又は静止画像データを分離する機能。
【００７３】
印刷用データ生成手段１３は、分離手段１２が分離した印刷に適するデータを基に印刷用データを生成する機能を有している。
【００７４】
印刷手段１４、印刷用データ生成手段１３が生成した印刷用データに基づいて印刷を行う機能を有している。
【００７５】
送信用データ生成手段１５は、分離手段１２が分離した印刷に適さないデータを基に、当該データを再生可能な装置に送信すべく送信用データを生成する機能を有している。
【００７６】
送信手段１６は、送信用データ生成手段１５が生成した送信用データを送信先の装置へ送信する機能を有している。
【００７７】
このような構成のマルチメディアデータ再生システムでは、まず、印刷装置１０が、サーバ２０に対してデータベース２１に対するアクセス要求を発行する。このアクセス要求に応答したサーバ２０では、データベース２１すなわちマルチメディアデータを、印刷装置１０に対して送信する。
【００７８】
印刷装置１０が、受信手段１１が受信したマルチメディアデータを分離手段１２へ送出すると、分離手段１２は、受け取ったデータを印刷に適するデータと印刷に適さないデータとに分離する。
【００７９】
ここで、上記分離された印刷に適するデータは、印刷用データ生成手段１３に送出されるとともに、上記分離された印刷に適さないデータは、送信用データ生成手段１５に送出される。
【００８０】
次に、印刷用データ生成手段１３では、受け取ったデータを基に印刷用データを生成して、印刷手段１４に送出する。そして、印刷手段１４によって、印刷に適するデータに対応する印刷用データの印刷処理が実行されて、印刷物が印刷される。
【００８１】
一方、送信用データ生成手段１５では、受け取ったデータを基に送信用データを生成して、送信手段１６に送出する。送信手段１６は、受け取ったデータを、そのデータを送信先の装置としての再生可能な外部装置例えば携帯情報端末３０あるいは携帯電話４０に送信する。
【００８２】
次に、印刷装置１０のハードウェア構成について、図３を参照して説明する。
【００８３】
図３に示すように、印刷装置１０は、受信手段１１、分離手段１２、印刷用データ生成手段１３、印刷手段１４、送信用データ生成手段１５、送信手段１６、ＣＰＵ（中央演算処理装置）１７、ハードディスク等の記録媒体で構成される補助記憶装置１８、及びＲＡＭ等の記録媒体で構成される主記憶装置１９を有している。なお、図３において、各構成要素１１〜１６は、図２に示した印刷装置１０の構成要素１１〜１６と同様の機能を有しているので、ここでは、その説明は省略する。
【００８４】
補助記憶装置１８は、後述する印刷処理手順（図４参照）に対応するプログラム、送信用データ生成手段によって生成された送信用データを記憶する。
【００８５】
主記憶装置１９は、受信手段１１によって受信されたマルチメディアデータ、分離手段１２によって分離された印刷に適するデータ及び印刷に適さないデータ、分離手段１２によって作成された印刷に適さないデータの一覧、印刷用データ生成手段１３によって生成された印刷用データ、ＣＰＵ１７によって補助記憶装置１８からローディングされたプログラムやデータ、及びＣＰＵ１７が演算処理する際に必要となるデータを記憶する。
【００８６】
ＣＰＵ１７は、補助記憶装置１８及び主記憶装置１９に対してアクセスして、例えば後述する分離処理手順に基づいて処理を実行する。
【００８７】
なお、上記各構成要素のうち、受信手段１１及び送信手段１６は、例えばそれぞれの機能を実現するための電子回路（受信部、送信部）あるいは通信装置で実現される。印刷手段１４は、例えばプリンタエンジンで実現される。分離手段１２、印刷用データ生成手段１３及び送信用データ生成手段１５は、ＣＰＵ１７が、後述する印刷処理手順（図４参照）に対応するプログラムを補助記憶装置１８から主記憶装置１９にローディングして、これを実行することにより実現される。
【００８８】
次に、印刷装置１０の印刷処理について、図４を参照しながら説明する。
【００８９】
受信手段１１は、通信回線を介してマルチメディアデータを受信すると、この受信データを分離手段１２に送出する。分離手段１２は、受け取った受信データを主記憶装置１９に一時的に格納した後、ファイルの読み出し位置を、受信手段１２から受け取った受信データの先頭にする（ステップＡ０１）。
【００９０】
次に、分離手段１２は、読み出し位置がファイルの終端に達したか否かを判断し（ステップＡ０２）、この判断の結果、ファイルの終端に達していないと判断した場合には、データの質に基づいて、対象とするデータは印刷に適するデータであるか否かを判断する（ステップＡ０３）なお、ステップＡ０２において、初回の読み出しでは、読み出し位置はファイル先頭であるから、判断「ＮＯ」となり、ステップＡ０３に進むことになる。
【００９１】
ところで、テキストデータ及び静止画像データは、データの質の観点からは再生されたときの内容は静的な状態（再生したときに静止した状態）であると言えるので、印刷に適するデータとして扱うことができる。一方、動画像データ及び音声データは、データの質の観点からは再生されたときの内容は動的な状態（再生したときに動的な状態）であると言えるので、印刷に適さないデータとして扱うことができる。
【００９２】
また、テキストデータ、静止画像データ、動画像データ、及び音声データはそれぞれのデータ形式に従ってデータ化されているので、そのデータ形式を知ることにより、印刷に適するデータあるいは印刷に適さないデータであるかを知ることができる。あるいは、マルチメディアデータのフォーマットに、テキストデータ、静止画像データ、動画像データ、及び音声データの各データの種類を示す項目が含まれていれば、その種類を示す項目を参照することで、印刷に適するデータあるいは印刷に適さないデータであるかを知ることができる。
【００９３】
さて、分離手段１２は、上記ステップＡ０３において、印刷に適するデータであると判断した場合には（ステップＡ０４）、そのデータを印刷用データ生成手段１３に送出する。この印刷用データ生成手段１３は、受け取った印刷に適するデータを基に印刷用データの生成処理を実行する（ステップＡ０５）。
【００９４】
このようにして生成された印刷用データは、主記憶装置１９の所定の領域に一時的に記憶される。この例では、印刷に適するデータとして判断されるテキストデータあるいは静止画像データに基づいて、印刷用データが生成され、主記憶装置１９に格納される。
【００９５】
一方、分離手段１２は、上記ステップＡ０３において、印刷に適さないデータであると判断した場合は（ステップＡ０６）、そのデータを送信用データ生成手段１５に送出する。この送信用データ生成手段１５は、受け取った印刷に適さないデータを基に送信用データの生成処理を実行する（ステップＡ０７）。
【００９６】
このようにして生成された送信用データは補助記憶装置１８の所定の領域に一時的に蓄積される。この例では、印刷に適するデータとして判断される動画像データあるいは音声データに基づいて、送信用データが生成され、補助記憶装置１８に蓄積される。この送信用データには、動画像データあるいは音声データと、送信元を示す情報と、送信先を示す情報例えば携帯情報端末３０あるいは携帯電話４０を示す送信先アドレス情報とが含まれている。
【００９７】
そして、印刷用データ生成手段１３は印刷用データの生成処理を終了した場合には、その旨を分離手段１２に通知する。同様に、送信用データ生成手段１５も送信用データの生
成処理を終了した場合には、その旨を分離手段１２に通知する。
【００９８】
印刷用データ生成手段１３又は送信用データ生成手段１５からの当該データの生成処理を終了した旨を受け取った分離手段１２は、読み出し位置を更新し（ステップＡ０８）、その後、上記ステップＡ０２に戻る。
【００９９】
このようにして、読み出し位置がファイルの終端に達するまで、上記ステップＡ０２〜Ａ０８の処理が繰り返し実行される。
【０１００】
そして、ステップＡ０２において読み出し位置がファイルの終端に達したと判断した分離手段１２が、分離処理が終了した旨を印刷手段１４及び送信手段１６に通知すると、印刷手段１４は、主記憶装置１９の所定の領域に一時的に記憶されている印刷用データを取得して印刷処理を実行する（ステップＡ０９）。この印刷処理の実行の結果、テキストデータあるいは静止画像データが、印刷物として印刷される。
【０１０１】
また、送信手段１６は、補助記憶装置１８の所定の領域に一時的に蓄積されている送信用データを取得して送信処理を実行する（ステップＡ１０）。この送信処理の実行の結果、動画像データあるいは音声データは、送信先アドレス情報に基づく送信先として指定された携帯情報端末３０あるいは携帯電話４０に送信されて、ここで再生される。
【０１０２】
以上の処理で、マルチメディアデータから印刷に適するデータと印刷に適さないデータとを分離して、これらのデータを再生するための処理動作が終了する。
【０１０３】
上述した実施の形態１では、印刷装置の各機能を実現し、上記印刷処理の印刷処理手順を示すプログラムを、上記記録媒体としてのハードディスク等の補助記憶装置に記録するようにしているが、本発明はこれに限定されることなく、次のようにしても良い。
【０１０４】
すなわち、上記プログラムをＲＯＭに格納しておき、ＣＰＵが、このプログラムをこのＲＯＭから主記憶装置へローディングして実行するようにしても良い。
【０１０５】
また、上記プログラムを、ＤＶＤ−ＲＯＭ、ＣＤ−ＲＯＭ、ＭＯ（光磁気ディスク）、フロッピー（登録商標）ディスク、などのコンピュータ読み取り可能な記録媒体に格納して配布するようにしても良い。この場合、その記録媒体に記録されたプログラムを印刷装置がインストールした後、このプログラムをＣＰＵが実行するようにする。このプログラムのインストール先としては、ＲＡＭ等のメモリやハードディスクなどの記憶装置がある。そして、印刷装置は、必要に応じてこの記憶装置に記憶したプログラムを主記憶装置にローディングして実行する。
【０１０６】
さらには、印刷装置を電気通信回線（例えばインターネット）を介してサーバ装置あるいはホストコンピュータ等のコンピュータと接続するようにし、当該印刷装置が、サーバ装置あるいはコンピュータから上記プログラムをダウンロードした後、このプログラムを実行するようにしても良い。この場合、このプログラムのダウンロード先としては、ＲＡＭ等のメモリやハードディスクなどの記憶装置（記録媒体）がある。そして、当該印刷装置が、必要に応じてこの記憶装置に記憶された上記プログラムを主記憶装置にローディングして実行するようにする。
【０１０７】
また、上述した実施の形態１では、ネットワーク５１とネットワーク５２とは異なるネットワークとしているが、本発明はこれに限定されることなく、同一のネットワークとしても良い。すなわち、印刷装置１０とサーバ２０とが同一のネットワークに接続されるようにしても良い。
【０１０８】
さらに、上述した実施の形態１では、印刷装置１０が送信すべき送信データの送信先、つまり印刷に適さないデータを受信して再生する装置（再生装置）として、携帯情報端末３０や携帯電話４０を指定するようにしているが、本発明はこれに限定されることなく、受信したデータ（印刷に適さないデータ）を再生可能であれば、どのような装置であっても良い。
【０１０９】
さらに、上述した実施の形態１では、マルチメディアデータはサーバ２０のデータベース２１に格納され、そのデータベース２１からデータを取り出すようにしているが、本発明はこれに限定されることなく、次のようにしても良い。
【０１１０】
すなわち、所定の形式でデータが格納されていて、そこから当該データが取り出せるようにしたものであれば、どのようなものでもよく、例えば、マルチメディアデータを格納したＣＤ−ＲＯＭ、ＤＶＤ、ＦＤなどのメディアと、その読取装置あるいはＨＤＤであっても良い。
【０１１１】
具体的には、印刷装置は例えば上記読取装置と接続され、当該印刷装置に設けられる取得手段が上記読取装置を介して例えばＣＤ−ＲＯＭに格納されているマルチメディアデータを取得し、この取得したデータを分離手段に渡すようにしても良い。この場合、ＣＰＵ（中央演算処理装置）が取得手段の機能を果たすことになる。また、印刷装置は、ネットワークに接続されている必要はなく、通信回線を介して携帯情報端末や携帯電話と接続されるようになっていれば良い。
【０１１２】
さらに、上述した実施の形態１では、一時的に蓄積される印刷用データが主記憶装置１９に格納され、一時的に蓄積される送信用データが補助記憶装置１８に格納されるようになっているが、本発明はこれに限定されることなく、次のようにしても良い。すなわち、一時的に蓄積される印刷用データを補助記憶装置１８に格納し、一方、一時的に蓄積される送信用データを主記憶装置１９に格納するようにしても良い。また共通の記憶装置における異なる記憶領域に、一時的に蓄積される印刷用データと送信用データを格納するようにしても良い。
【０１１３】
さらに、上述した実施の形態１では、受信手段１１と送信手段１６とを別の手段として構成するようにしているが、本発明はこれに限定されることなく、１つの送受信手段とするようにしても良い。すなわち、データの送受信を行なう手段は通常これらの実装に使われる部品として共用できるものが多いので、受信手段１１及び送信手段１６をまとめて、これらの機能を有する送受信手段として構成する。
【０１１４】
以上説明したように、本実施の形態１の印刷装置によれば、取得したマルチメディアデータのうち、印刷に適するデータは印刷し、それ以外のどうしても印刷に適さないデータのみを、このデータを再生可能な再生装置（例えば、携帯情報端末３０や携帯電話４０）に送信することができ、これにより再生装置に転送すべきデータのデータ量を削減することができる。
【０１１５】
このことは、マルチメディアデータのうち、印刷に適さないデータのみを再生すれば良いことになるので、狭い表示領域及びチープな計算機資源しか有していない安価な再生装置であっても、動画像データ及び音声データを再生することができる、ということを意味する。
【０１１６】
また、本実施の形態１の印刷装置によれば、印刷に適さないデータとして音声データや動画像データを分離するようにしたことにより、印刷すべき印刷用データから印刷に適さ
ないデータを排除することができる。また、印刷に適するデータとしてテキストデータ及び静止画像データを分離するようにしたことにより、これらのデータを印刷に適するデータとして確実に印刷手段に送信して、ここで印刷することができる。
【０１１７】
さらに、本実施の形態１のマルチメディアデータ再生システムによれば、印刷に適するデータは印刷されるため、そのデータ内容の閲覧性に優れ、ユーザにとっては、印刷物を鑑賞するため目の健康のためにも良く、またデータ内容が記録用紙に印刷されている為、携帯性にも優れて便利である。一方、再生装置においては、印刷に適さないデータの再生のみに計算資源を集中させることができ、再生性能を向上させることができる。
【０１１８】
（実施の形態２）
図５は本発明の実施の形態２である印刷装置による印刷処理の印刷処理手順を示すフローチャートである。
【０１１９】
この実施の形態２の印刷装置は、図３に示した実施の形態１の印刷装置１０の構成と同様の構成になっているので、ここでは、その説明は省略する。なお、印刷装置１０内の分離手段１２の機能、及び印刷装置１０による印刷処理が多少相違しているので、その相違点について説明する。
【０１２０】
図５に示す印刷処理手順に対応するプログラムも、実施の形態１の場合と同様に、補助記憶装置１８に格納されており、当該印刷処理時に、ＣＰＵ１７によって、そこから主記憶装置１９にローディングされた後、実行される。
【０１２１】
分離手段１２は、上記実施の形態１で説明した分離手段１２の（１）〜（３）の機能に加えて、マルチメディアデータから分離された印刷に適さないデータの一覧を生成するとともに、この生成した一覧を基に印刷用データを生成する機能も有している。
【０１２２】
かかる構成の印刷装置１０による印刷処理について、図５を参照して説明する。
【０１２３】
この印刷処理においては、図４に示した印刷処理手順において、ステップＡ０６とステップＡ０７との間に、ステップＡ１１の処理が追加され、当該処理が実行されるようになっている。それ以外の処理については、図４に示した印刷処理手順の印刷処理と同様であるので、ここでは、その説明は省略する。
【０１２４】
図５に示すように、分離手段１２は、上記ステップＡ０３において、印刷に適さないデータであると判断した場合は（ステップＡ０６）、その印刷に適さないデータを、当該データのＵＲＩ（Ｕｎｉｆｏｒｍ  Ｒｅｓｏｕｒｃｅ  Ｉｄｅｎｔｉｆｉｅｒｓ）のテキストに対応する印刷用データとして生成するとともに（ステップＡ１１）、この生成した印刷用データを、主記憶装置１９の所定の領域において、一時蓄積されている印刷用データに追加して蓄積し、その後、ステップＡ０７に進む。
【０１２５】
以上説明したように、本実施の形態２の印刷装置によれば、取得したマルチメディアデータを印刷に適するデータと印刷に適さないデータとに分離し、さらに印刷に適さないデータの一覧を作成し、該作成した一覧を印刷するようにしているので、ユーザにおいては、分離された印刷に適さないデータが、当該マルチメディアデータ内で、どの印刷に適するデータと関連付けられたデータであったかを容易に知ることができる。
【０１２６】
（実施の形態３）
図６は本発明の実施の形態３である印刷装置による印刷処理の印刷処理手順を示すフローチャートである。
【０１２７】
この実施の形態３の印刷装置は、図３に示した実施の形態１の印刷装置１０の構成と同様の構成になっているので、ここでは、その説明は省略する。なお、印刷装置１０内の分離手段１２の機能、及び印刷装置１０による印刷処理が多少相違しているので、その相違点について説明する。
【０１２８】
図６に示す印刷処理手順に対応するプログラムも、実施の形態１の場合と同様に、補助記憶装置１８に格納されており、当該印刷処理時に、ＣＰＵ１７によって、そこから主記憶装置１９にローディングされた後、実行される。
【０１２９】
分離手段１２は、実施の形態１で説明した分離手段１２の（１）〜（３）の機能、または実施の形態２で説明した分離手段１２の機能に加えて、分離された動画像データから所望の静止画像を抽出するとともに、この抽出した静止画像データを基に印刷用データを生成する機能も有している。
【０１３０】
かかる構成の印刷装置１０による印刷処理について、図６を参照して説明する。
【０１３１】
この印刷処理においては、図４に示した印刷処理手順において、ステップＡ０６とステップＡ０７との間に、ステップＡ１２及びステップＡ１３の処理が追加され、当該各処理が実行されるようになっている。それ以外の処理については、図４に示した印刷処理手順の印刷処理と同様であるので、ここでは、その説明は省略する。
【０１３２】
図６に示すように、分離手段１２は、上記ステップＡ０３において、印刷に適さないデータであると判断した場合は（ステップＡ０６）、その印刷に適さないデータは、動画像データであるか否かを判断する（ステップＡ１２）。
【０１３３】
そして、ステップＡ１２において動画像データであると判断した分離手段１２は、その動画像データから所望の静止画像データを切り出し、これを印刷用データとして生成するとともに（ステップＡ１３）、この生成した印刷用データを、主記憶装置１９の所定の領域において、一時蓄積されている印刷用データに追加して蓄積し、その後、ステップＡ０７に進む。
【０１３４】
一方、ステップＡ１２において動画像データでないと判断した分離手段１２は、印刷に適さないデータは音声データであると判断して、その音声データを送信用データ生成手段１５に送出する。この結果、送信用データ生成手段１５によって、受け取った印刷に適さないデータを基に送信用データの生成処理が実行される。
【産業上の利用可能性】
【０１３５】
以上説明したように、本発明によれば、取得したマルチメディアデータを印刷に適するデータと印刷に適さないデータとに分離し、さらに、印刷に適さないデータとしての動画像データから所望の静止画像データを抽出し、この抽出したデータを印刷するようにしているので、当該マルチメディアデータ全てを表示できる再生装置に対して、印刷に適さないデータとしての動画像データが、当該マルチメディアデータの何処に貼り付けられていたかを提供することができる。すなわち、当該再生装置では、印刷に適さないデータとしての動画像データが、当該マルチメディアデータの何処に貼り付けられていたかを容易に知ることができ、印刷装置のデータ処理に好適である。
【図面の簡単な説明】
【０１３６】
【図１】本発明の実施の形態１である印刷装置を有するマルチメディアデータ再生システムの概略を示す模式図
【図２】図１に示したマルチメディアデータ再生システムの概略構成を示すブロック図
【図３】図２に示した印刷装置の構成を示すブロック図
【図４】図３に示した印刷装置による印刷処理の印刷処理手順を示すフローチャート
【図５】本発明の実施の形態２である印刷装置による印刷処理の印刷処理手順を示すフローチャート
【図６】本発明の実施の形態３である印刷装置による印刷処理の印刷処理手順を示すフローチャート
【符号の説明】
【０１３７】
１０    印刷装置
１１    受信手段（取得手段）
１２    分離手段
１３    印刷用データ生成手段
１４    印刷手段
１５    送信用データ生成手段
１６    送信手段
１７    ＣＰＵ
１８    補助記憶装置
１９    主記憶装置
２０    サーバ
２１    データベース
３０    携帯情報端末
４０    携帯電話
５１，５２    ネットワーク
５３，５４，５５    通信回線
【図１】
2005309566.tif 000003
【図２】
2005309566.tif 000004
【図３】
2005309566.tif 000005
【図４】
2005309566.tif 000006
【図５】
2005309566.tif 000007
【図６】
2005309566.tif 000008